(57)【要約】【課題】網本体で掬った魚を確実に捕獲できて、使い勝手の良好な魚掬い用網を提供すること。【解決手段】魚掬い用網１は、開口３ａを有した略袋状の網本体３と、網本体３の開口周縁を保持する略環状の保持枠４と、保持枠４から延びる把手５と、を備える。把手５が、ばね弾性を有する金属製の線材９から形成されるとともに、保持枠４から離れた元部端５ｂを、保持枠４に対して３０〜９０°の傾斜角度で傾け可能に、長手方向に沿って撓み可能として、構成されている。【選択図】図１
0003160253.tif 000002
【実用新案登録請求の範囲】
【請求項１】
開口を有した略袋状の網本体と、該網本体の開口周縁を保持する略環状の保持枠と、該保持枠から延びる把手と、を備える魚掬い用網において、
前記把手が、ばね弾性を有する金属製の線材から形成されるとともに、前記保持枠から離れた元部端を、前記保持枠に対して３０〜９０°の傾斜角度で傾け可能に、長手方向に沿って撓み可能として、構成されていることを特徴とする魚掬い用網。
【請求項２】
前記把手が、１本の線材を曲げ加工して形成されるとともに、長手方向の中央付近を幅広として、前記保持枠側となる先端側と前記保持枠から離れた元部端側とにかけて収束させるように、外形形状を、扁平な略楕円形状として、形成されていることを特徴とする請求項１に記載の魚掬い用網。
【請求項３】
前記保持枠と前記把手とが、１本の線材を曲げ加工して形成されていることを特徴とする請求項２に記載の魚掬い用網。
【請求項４】
前記線材が、ステンレスばね製であることを特徴とする請求項２又は３に記載の魚掬い用網。
【請求項５】
前記線材の線径が、１．０ｍｍ〜２．０ｍｍの範囲内に設定されていることを特徴とする請求項４に記載の魚掬い用網。
【請求項６】
前記把手の外周側に、合成樹脂製の被覆層が形成されていることを特徴とする請求項５に記載の魚掬い用網。
【考案の詳細な説明】
【技術分野】
【０００１】
本考案は、水槽で飼育している熱帯魚や金魚等の魚を掬うための魚掬い用網に関する。
【背景技術】
【０００２】
従来、魚掬い用網としては、開口を有した略袋状の網本体と、網本体の開口周縁を保持する略環状の保持枠と、保持枠から延びる把手と、を備えて、保持枠と把手とを、合成樹脂製の被覆材によって外周を覆われた金属製の線材を曲げ加工して、形成されるものがあった。
【考案の概要】
【考案が解決しようとする課題】
【０００３】
しかし、従来の魚掬い用網では、把手が長手方向に沿って撓み難く、使用時に、水槽に投入して、網本体で魚を掬い、保持枠を水槽の壁面に沿って上昇移動させる際に、把手を壁面から離すように傾ければ、保持枠も上端側（把手側）を壁面から離すように傾いてしまうことから、保持枠全体を水槽の壁面に沿わせたまま上昇移動させることが困難であった。特に、壁面の上端に、内側に突出するような枠を有するタイプの水槽の場合、保持枠全体を水槽の壁面に沿わせることが困難であった。そのため、従来の魚掬い用網では、一旦魚を掬っても、保持枠を水槽の壁面に沿って上昇移動させる際に、保持枠と水槽の壁面との間に隙間が生じやすく、この隙間から魚が逃げてしまう場合が多々あって、使い勝手が良好ではなかった。
【０００４】
本考案は、上述の課題を解決するものであり、網本体で掬った魚を確実に捕獲できて、使い勝手の良好な魚掬い用網を提供することを目的とする。
【課題を解決するための手段】
【０００５】
本考案に係る魚掬い用網は、開口を有した略袋状の網本体と、網本体の開口周縁を保持する略環状の保持枠と、保持枠から延びる把手と、を備える構成とされ、
把手が、ばね弾性を有する金属製の線材から形成されるとともに、保持枠から離れた元部端を、保持枠に対して３０〜９０°の傾斜角度で傾け可能に、長手方向に沿って撓み可能として、構成されていることを特徴とする。
【０００６】
本考案の魚掬い用網では、把手が、長手方向に沿って撓み可能とされていることから、使用時に、水槽に投入して、網本体で魚を掬い、この網本体を保持している保持枠を、水槽の壁面に沿わせるようにして上昇移動させる際に、把手を壁面から離すように傾けても、把手が撓んで、保持枠の水槽の壁面に沿った状態を維持させることができて、魚掬い用網を、保持枠全体を水槽の壁面に沿わせた状態を維持して、上昇移動させることができる。そして、本考案の魚掬い用網では、把手を、保持枠から離れた元部端を保持枠に対して３０〜９０°の傾斜角度で傾け可能に、長手方向に沿って撓ませることができることから、魚掬い用網の上昇移動時に、把手を壁面に対して大きく傾けるような態様となっても、把手を撓ませることにより、保持枠全体を壁面に沿わせた状態を維持させることができて、保持枠と水槽の壁面との間に隙間が生じることを極力防止することができる。そのため、壁面の上端に、内側に突出するような枠を有するタイプの水槽に使用する場合であっても、水面から離れるまで、保持枠全体を水槽の壁面に沿わせた状態を維持して、魚掬い用網を引き上げることができ、網本体で掬った魚を確実に捕獲できる。
【０００７】
したがって、本考案の魚掬い用網では、網本体で掬った魚を確実に捕獲できて、使い勝手が良好である。
【０００８】
また、本考案の魚掬い用網において、把手を、１本の線材を曲げ加工して形成するとともに、長手方向の中央付近を幅広として、保持枠側となる先端側と保持枠から離れた元部端側とにかけて収束させるように、外形形状を扁平な略楕円形状として、形成すれば、幅広で使用者が握りやすく、使い勝手を一層向上させることができて、好ましい。
【０００９】
さらに、上記構成の魚掬い用網において、保持枠と把手とを、１本の線材を曲げ加工して形成すれば、保持枠を把手と別体として、別の材料から形成する場合と比較して、製造が容易となり、製造工数及びコストを低減させることができて、好ましい。
【００１０】
具体的には、線材として、ステンレスばね製のものを使用すれば、使用時にさびが発生し難く、耐久性が良好となって、好ましい。
【００１１】
さらにまた、上記構成の魚掬い用網において、線径を１．０ｍｍ〜２．０ｍｍの範囲内に設定される線材を使用して、保持枠及び把手を形成すれば、使用時に、保持枠が魚と接触することを抑制でき、また、保持枠を水槽内の狭い隙間にも進入させやすい。また、上記構成の魚掬い用網においては、保持枠を線径の小さな線材から形成していることから、保持枠を水槽の底面に接触させた際に、周囲の水槽の底面との間に大きな段差が生じ難く、稚魚等の小さな魚でも、保持枠を乗り越えやすくなって、水槽の底にいる稚魚等の小さい魚も好適に捕獲することが可能となって、好ましい。
【００１２】
このような構成の魚掬い用網において、把手の外周側に、合成樹脂製の被覆層を配設させる構成とすれば、保持枠及び把手を線径の小さな線材から形成しても、被覆層の分、把手の部位の外径寸法を大きくすることができることから、使用者の手になじみやすく、使い勝手をさらに向上させることができて、好ましい。
【図面の簡単な説明】
【００１３】
【図１】本考案の一実施形態である魚掬い用網を示す概略斜視図である。
【図２】図１の魚掬い用網の側面図である。
【図３】図１の魚掬い用網において、網本体を省略した状態の保持枠の一部と把手の先端付近とを示す部分拡大正面図である。
【図４】図３のIV−IV部位の断面図である。
【図５】実施形態の魚掬い用網の使用態様を説明する概略図である。
【考案を実施するための形態】
【００１４】
以下、本考案の一実施形態を図面に基づいて説明する。実施形態の魚掬い用網１は、図１，２に示すように、開口３ａを有した略袋状の網本体３と、網本体３の開口３ａ周縁を保持する略環状の保持枠４と、保持枠４から延びる把手５と、を備えて構成されている。
【００１５】
網本体３は、実施形態の場合、ポリアミド（ナイロン）繊維やポリエステル繊維等からなる目の細かな汎用の網素材を、所定形状に縫合して形成されている。実施形態の場合、網本体３は、扁平な袋状として、開口３ａの周縁を、略正方形状の保持枠４に巻き掛けられた状態で縫着されて、保持枠４に連結されている。
【００１６】
保持枠４は、実施形態の場合、外形形状を略正方形状とされて、一辺の中央付近から、把手５を突出させるように、構成されている。保持枠４と把手５とは、図３に示すように、１本の線材９を曲げ加工して、把手５における保持枠４側となる先端５ａ付近で、線材９の端末相互を固定具７によって固定させることにより、形成されている。保持枠４及び把手５を構成する線材９は、ばね弾性を有する金属製とされており、実施形態の場合、保持枠４及び把手５は、図２の二点鎖線に示すように、保持枠４から離れた把手５の元部端５ｂ側を、保持枠４に対して３０〜９０°（望ましくは、３０〜６０°）の傾斜角度θまで傾け可能に、把手５を長手方向に沿って撓ませることが可能な線材９から、形成されている。実施形態の場合、保持枠４及び把手５を構成する線材９としては、線径を１．０〜２．０ｍｍ（望ましくは、１．２〜１．５ｍｍ）に設定されたステンレスばね製のものを使用している。線材９の線径が１．０ｍｍ未満では、細すぎて良好な形状保持性能が得難く、逆に、線径が２．０ｍｍを超えれば、良好な撓み性能を得難いためである。なお、保持枠４及び把手５を構成する線材９は、把手５を長手方向に沿って撓ませることが可能に、ばね弾性を有する金属からなるものであれば、ステンレスばねに限られるものではないが、耐久性が良好で、かつ、安価なステンレスばねを使用することが、好ましい。また、実施形態では、線材９の端末相互を固定させる固定具７も、ステンレス製とされている。なお、固定具７を形成する素材は、ステンレスに限られるものではなく、ポリプロピレン等の合成樹脂等、さびない素材から形成してもよい。
【００１７】
また、実施形態では、把手５は、図１に示すように、外形形状を、長手方向の中央付近（中間部５ｃ）を幅広として、保持枠４側となる先端５ａ側と保持枠４から離れた元部端５ｂ側とにかけて収束させるような略楕円形状として、形成されている。把手５の周囲には、図１，２，４に示すように、保持枠４側となる先端５ａ側の部位を除いた全域にわたって、ポリ塩化ビニル（ＰＶＣ）等の汎用の合成樹脂からなる被覆層６が、形成されている。この被覆層６は、把手５の部位の外径寸法を、線材９の３倍程度に大きくして、把手５を、使用者の手になじみやすくして、使い勝手を向上させるために、設けられている。
【００１８】
なお、実施形態の魚掬い用網１の大きさの概略を説明しておけば、図１に示すように、全長Ｌ１が２０〜３０ｃｍ程度、保持枠４の一辺の長さＬ２が７〜１０ｃｍ程度、網本体３の深さＨが４〜５ｃｍ程度、把手５が、長さ寸法Ｌ３を１５〜２０ｃｍ程度、中間部５ｃの幅寸法Ｔを３〜５ｃｍ程度に、設定されるものである。
【００１９】
そして、実施形態の魚掬い用網１では、把手５が、長手方向に沿って撓み可能とされていることから、使用時に、図５に示すように、水槽Ａに投入して、網本体３で魚Ｆを掬い、この網本体３を保持している保持枠４を、水槽Ａの壁面Ｗに沿わせるようにして上昇移動させる際に、把手５を、元部端５ｂを壁面Ｗから離すように傾けても、把手５が撓んで、保持枠４の水槽Ａの壁面Ｗに沿った状態を維持させることができて、魚掬い用網１を、保持枠４全体を水槽Ａの壁面Ｗに沿わせた状態を維持して、上昇移動させることができる。そして、実施形態の魚掬い用網１では、把手５を、保持枠４から離れた元部端５ｂを保持枠４に対して３０〜９０°の傾斜角度で傾け可能に、長手方向に沿って撓ませることができることから、魚掬い用網１の上昇移動時に、把手５を壁面Ｗに対して大きく傾けるような態様となっても、把手５を撓ませることにより、保持枠４全体を壁面Ｗに沿わせた状態を維持させることができて、保持枠４と水槽Ａの壁面Ｗとの間に隙間が生じることを極力防止することができる。そのため、図５に示すごとく、壁面Ｗの上端に、内側に突出するような枠Ｋを有するタイプの水槽Ａであっても、水面から離れるまで、保持枠４全体を水槽Ａの壁面Ｗに沿わせた状態を維持して、魚掬い用網１を引き上げることができ、水面から離れたならば、網本体３で魚Ｆを保持しつつ、徐々に保持枠４を壁面Ｗから離すように移動させればよいことから、網本体３で掬った魚Ｆを確実に捕獲できる。
【００２０】
したがって、実施形態の魚掬い用網１では、網本体３で掬った魚Ｆを確実に捕獲できて、使い勝手が良好である。
【００２１】
また、実施形態の魚掬い用網１では、把手５を、１本の線材９を曲げ加工して、長手方向の中央付近（中間部５ｃ）を幅広として、保持枠４側となる先端５ａ側と保持枠４から離れた元部端５ｂ側とにかけて収束させるように、外形形状を扁平な略楕円形状として、形成していることから、幅広で使用者が握りやすく、使い勝手を一層向上させることができる。勿論、このような点を考慮しなければ、把手の外形形状を、先端から元部端にかけての幅寸法を略一定としてもよい。
【００２２】
さらに、実施形態の魚掬い用網１では、保持枠４と把手５とを、１本の線材９を曲げ加工して形成していることから、保持枠を把手と別体として、別の材料からら形成する場合と比較して、製造が容易となり、製造工数及びコストを低減させることができる。勿論このような点を考慮しなければ、把手のみを撓み可能な線材から形成し、保持枠を、把手と別体として、撓まない素材から形成してもよい。
【００２３】
なお、実施形態の魚掬い用網１では、保持枠４と把手５とを構成する線材９として、ステンレスばね製のものを使用していることから、使用時にさびが発生し難く、耐久性が良好である。
【００２４】
さらにまた、実施形態の魚掬い用網では、線径を１．０ｍｍ〜２．０ｍｍの範囲内に設定される線材９を使用して、保持枠４及び把手５を形成すれば、使用時に、保持枠４が魚Ｆと接触することを抑制でき、また、保持枠４を水槽内の狭い隙間にも進入させやすい。また、実施形態の魚掬い用網１においては、保持枠４を線径の小さな線材９から形成していることから、保持枠４を水槽の底面に接触させた際に、周囲の水槽の底面との間に大きな段差が生じ難く、稚魚等の小さな魚でも、保持枠４を乗り越えやすく、水槽の底にいる稚魚等の小さい魚も好適に捕獲することができる。勿論、このような点を考慮しなければ、保持枠及び把手を、２．０ｍｍを超える線径の線材から、形成してもよい。
【００２５】
そして、実施形態の魚掬い用網では、把手５の外周側に、合成樹脂製の被覆層６を配設させていることから、保持枠４及び把手５を線径の小さな線材９から形成しても、被覆層６の分、把手５の部位の外径寸法を大きくすることができて、使用者の手になじみやすく、使い勝手をさらに向上させることができる。
【００２６】
なお、実施形態の魚掬い用網１は、魚Ｆを掬う以外にも、水槽Ａ内のごみを除去するために使用することもでき、このような用途にも、使い勝手を良好として好適に使用可能である。勿論、網本体３や保持枠４の外形形状、あるいは、保持枠４に対する把手５の長さは、図例に限定されるものではなく、飼育する魚や水槽の大きさ（深さ）等、用途に応じて適宜変更可能である。
【符号の説明】
【００２７】
１…魚掬い用網、
３…網本体、
３ａ…開口、
４…保持枠、
５…把手、
５ａ…先端、
５ｂ…元部端、
５ｃ…中間部、
６…被覆層、
９…線材、
Ａ…水槽、
Ｆ…魚、
Ｗ…壁面。
【図１】
0003160253.tif 000003
【図２】
0003160253.tif 000004
【図３】
0003160253.tif 000005
【図４】
0003160253.tif 000006
【図５】
0003160253.tif 000007